(57)【要約】【解決手段】底部１と、底部の一方の相対する辺部にヒンジ連結された一方の相対する側壁２と、底部のもう一方の相対する辺部にヒンジ連結されたもう一方の相対する側壁３とを有し、箱型に組み立てられた状態から、一方の相対する側壁及びもう一方の相対する側壁を底部に重なるように倒すことにより折り畳むことが可能な折り畳みコンテナーにおいて、扉部材Ｄの内壁面ｄ２に、カード差しＣ１、Ｃ２を配設したものである。【効果】扉部材の内壁面に、カード差しを配設したので、扉部材が下方に回動した扉部材により、底部等に配設されたカードが隠れても、折り畳みコンテナーに収容された物品を、折り畳みコンテナーから物品を取り出すことなく、容易に認識し識別することが可能となる。【選択図】図４
2004131108.tif 000002
【特許請求の範囲】
【請求項１】
底部と、底部の一方の相対する辺部にヒンジ連結された一方の相対する側壁と、底部のもう一方の相対する辺部にヒンジ連結されたもう一方の相対する側壁とを有し、箱型に組み立てられた状態から、一方の相対する側壁及びもう一方の相対する側壁を底部に重なるように倒すことにより折り畳むことが可能な折り畳みコンテナーにおいて、少なくとも１つの側壁に、開口部を形成し、該開口部には扉部材を開閉自在に配設するとともに、前記扉部材の内壁面には、カード差しを配設したことを特徴とする折り畳みコンテナー。
【請求項２】
扉部材には、上下方向に移動可能な１つの操作部材と、該操作部材の上下移動により、水平移動可能な一対のロック部材を配設したことを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーにおいて、長側壁に、箱型に組み立てられた折り畳みコンテナーに収容されている物品を取り出すために、扉を配設した折り畳みコンテナーが知られている（例えば、実公平３−５６５１１号公報、特公平８−５４７９号公報等）。
【０００３】
そして、箱型に組み立てられた折り畳みコンテナーを、水平方向や上下方向に、複数、並設するとともに、扉を開けた状態で、棚等に載置し、このように、水平方向や上下方向に並設された折り畳みコンテナーの扉が開けられて形成された開口部から、物品を取り出すことが行われている。
【０００４】
【発明が解決しようとする課題】
上述したように、従来、箱型に組み立てられた折り畳みコンテナーを、水平方向や上下方向に、複数、並設するとともに、扉を開けた状態で、棚等に載置し、このように、水平方向や上下方向に並設された折り畳みコンテナーの扉が開けられて形成された開口部から、物品を取り出すことが行われているが、扉が開けられた状態では、長側壁に配設された、収容されている物品やその種類や材質等の種々の情報が記載されたカードが、開けられた扉により隠れてしまい、いちいち、折り畳みコンテナーから収容されている物品を取り出さなければ、収容されている物品を識別することができないという問題があった。
【０００５】
また、上述した従来の折り畳みコンテナーにおいては、扉を開ける場合には、扉の左右両端部付近に配設されているロックを、両手で操作して、扉と長側壁とのロック状態を解除しなければならず、ロック解除作業の作業性が悪いという問題があった。
【０００６】
本発明の目的は、上述した従来の折り畳みコンテナーが有する課題を解決することにある。
【０００７】
【課題を解決するための手段】
本発明は、上述した目的を達成するために、底部と、底部の一方の相対する辺部にヒンジ連結された一方の相対する側壁と、底部のもう一方の相対する辺部にヒンジ連結されたもう一方の相対する側壁とを有し、箱型に組み立てられた状態から、一方の相対する側壁及びもう一方の相対する側壁を底部に重なるように倒すことにより折り畳むことが可能な折り畳みコンテナーにおいて、第１には、少なくとも１つの側壁に、開口部を形成し、該開口部には扉部材を開閉自在に配設するとともに、前記扉部材の内壁面には、カード差しを配設したものであり、第２には、扉部材には、上下方向に移動可能な１つの操作部材と、該操作部材の上下移動により、水平移動可能な一対のロック部材を配設したものである。
【０００８】
【実施例】
以下に、本発明の実施例について説明するが、本発明の趣旨を越えない限り何ら、本実施例に限定されるものでない。
【０００９】
１は、平面形状が長方形状の底部であり、底部１の相対する長辺側土手部１ａには、ヒンジ部材を介して長側壁２が連結されており、また、底部１の相対する短辺側土手部１ｂには、同じくヒンジ部材を介して短側壁３が連結されている。また、長側壁２がヒンジ連結されている長辺側土手部１ａは、短側壁３がヒンジ連結されている短辺側土手部１ｂより低く構成されており、従って、底部１と長側壁２とのヒンジ連結箇所は、底部１と短側壁３とのヒンジ連結箇所より、低い位置に位置している。
【００１０】
図１に示されているように、箱型に組み立てられた状態の折り畳みコンテナーを折り畳むには、先ず最初に、底部１にヒンジ連結されている相対する長側壁２を、折り畳みコンテナーの内側に倒して、図２に示されているように、底部１の上に重ねる。次いで、底部１にヒンジ連結されている相対する短側壁３を、同じく、折り畳みコンテナーの内側に倒して、図３に示されているように、倒された状態の長側壁２の上に重ねて折り畳みコンテナーをコンパクトに折り畳むように構成されている。逆に、図３に示されている折り畳まれた状態から、図１に示されているように組み立てるには、長側壁２の上に重ねられた状態の短側壁３を略垂直に立て、次いで、長側壁２を略垂直に立てて、折り畳みコンテナーを箱型に組み立てる。
【００１１】
短側壁３には、図４や図５等に示されているように、上方が開放された、物品の出し入れ用の開口部３ａか形成されており、開口部３ａは、開口部３ａの側部に位置する縦枠部３ｂと、開口部３ａの下方に位置する下部枠３ｃとにより形成されている。開口部３ａには、扉部材Ｄが挿入されるように構成されており、下部枠３ｃの上端部３ｃ１と扉部材Ｄの下端部（開口部３ａに、扉部材Ｄを挿入して、開口部３ａを閉じた状態において、下方に位置する部分）ｄ１とを、適当なヒンジ部材Ｈによりヒンジ連結することにより、閉じられた垂直状態の扉部材Ｄを、ヒンジ部材Ｈを中心に、手前方向に前倒しに回動させることにより、図４や図５等に示されているように、開口部３ａを開くことができるように構成されている。
【００１２】
図４や図５等に示されているように、扉部材Ｄの内壁面（開口部３ａを、扉部材Ｄにより閉じた状態において、箱型に組み立てられた折り畳みコンテナーの内側に位置する面、換言すれば、扉部材Ｄを手前に倒して、開口部３ａを開けた際には、外側に位置する面）ｄ２には、略方形状の凹部ｄ３が形成されている。凹部ｄ３には、カード差しＣ１が取着されており、図４には、複数の弾性条片ｃ１を、扉部材Ｄが下方に回動され開口部３ａが開放された状態において、弾性条片ｃ１の自由端部ｃ１ａが上方に位置するように、配設することにより形成されたカード差しＣ１が示されており、弾性条片ｃ１に、カードｃ２を差し込むことにより、カードｃ２を、弾性条片ｃ１により保持するように構成されている。また、図５には、透明な合成樹脂で成形された扁平な箱型のカード差しＣ２が示されており、箱型のカード差しＣ２のカード挿入口ｃ３が、扉部材Ｄが下方に回動され開口部３ａが開放された状態において、上端に位置するように、箱型のカード差しＣ２が、凹部ｄ３に配設されている。カードｃ２は、箱型のカード差しＣ２のカード挿入口ｃ３から挿入されることになる。また、箱型のカード差しＣ２を、不透明な合成樹脂で成形した場合には、箱型のカード差しＣ２の前面に、窓を形成し、窓を通して、カードｃ２に記載された情報を読み取ることができるように構成する。
【００１３】
上述したように、扉部材Ｄの内壁面ｄ２に、カード差しＣ１、Ｃ２を配設することにより、扉部材Ｄが、短側壁３の下部枠３ｃに重なるように下方に回動されて、開口部３ａが開放された状態において、扉部材Ｄにより、底部１の短辺側土手部１ｂの外面に形成されたカード貼着部１ｂ１に貼着されたカードが隠れても、折り畳みコンテナーに収容された物品を、折り畳みコンテナーから物品を取り出すことなく、容易に識別し確認することが可能となる。
【００１４】
図４や図５に示されているように、短側壁３に形成された開口部３ａの側部に位置する縦枠部３ｂの開口部３ａ側には、縦方向に延在する細長の外側段部３ｂ１が形成されており、外側段部３ｂ１の外面の上部には、上下方向に所定の間隔をおいて相対する一対の係止部材４を構成する係止爪４ａが立設されており、一対の係止爪４ａは、外側段部３ｂ１の外面から水平方向に延在する水平部４ａ１と水平部４ａ１の先端から、互いに接近する方向に延在する垂直部４ａ２とから構成されている。
【００１５】
図６、図７及び図８に示されているように、扉部材Ｄには、扉部材Ｄの板部ｄ４の上端辺から水平方向外側に延在する上端水平フランジｄ５が形成されており、上端水平フランジｄ５の下方には、所定の間隔を置いて、上部水平リブｄ６が形成されている。板部ｄ４の垂直な両側端には、板部ｄ４に対して直交するとともに、上端水平フランジｄ５や上部水平リブｄ６と同様に外側に延在する側端垂直フランジｄ７が形成されており、側端垂直フランジｄ７の先端部には、板部ｄ４と平行に外側に延在するとともに、短側壁３の開口部３ａの側部に形成された細長の外側段部３ｂ１に嵌合される、同じく縦方向に細長い板状の張出枠ｄ８が形成されている。
【００１６】
ｄ９は、上端水平フランジｄ５の側端垂直フランジｄ７側に位置する下面に、所定の間隔を置いて、形成された一対の略Ｕ字状の垂設枠であり、一対の垂設枠ｄ９の相対する側部には、互いに接近する方向に延在する係止突起ｄ１０が形成されているとともに、垂設枠ｄ９の水平部の下面には、ガイドリブｄ１１が垂設されている。ｄ１２は、垂設枠ｄ９より、側端垂直フランジｄ７側に位置する上端水平フランジｄ５の下面に垂下された垂直部ｄ１２ａと、垂直部ｄ１２ａの下端から、側端垂直フランジｄ７方向に向かって下方に傾斜し、側端垂直フランジｄ７に連接された傾斜部ｄ１２ｂとから構成された、後述するロック機構を構成するロック部材に形成された弾性条片が当接する弾性条片当接枠である。また、ｄ１３は、弾性条片当接枠ｄ１２の傾斜部ｄ１２ｂと上部水平リブｄ６との間に位置する側端垂直フランジｄ７に穿設されたスリットである。
【００１７】
図５において、５は、ロック部材であり、ロック部材５は、正面形状が略台形状の本体部５ａを有しており、本体部５ａの上面には、上述した垂設枠ｄ９の水平部の下面に垂設されたガイドリブｄ１１が挿入可能な溝５ｂが形成されている。本体部５ａの一方の側部には張出部５ｃが突設されており、張出部５ｃの先端からは、水平方向に延在するロッド５ｄが延在しており、ロッド５ｄの先端部には、上下方向に延在する板状のロック部５ｅが形成されている。また、張出部５ｃには、上方に行くほど、本体部５ａ方向に傾斜した弾性条片５ｆが立設されており、本体部５ａのもう一方の側部には、上方に行くほど、本体部５ａ方向に傾斜したガイド板５ｇ１を有するガイドブロック５ｇが取着されている。上記の構成を有するロック部材５は、合成樹脂で一体に成形されている。
【００１８】
同じく、図５において、６は、操作部材であり、操作部材６は、横長の板部本体６ａと、板部本体６ａの周縁に形成された周辺リブ６ｂとを有しており、周辺リブ６ｂの下部角部には、下方に行くほど、板部本体６ａの中央部方向に傾斜した傾斜リブ部６ｂ１が形成されている。また、傾斜リブ部６ｂ１に連結されているとともに、垂直に延在する側部リブ部６ｂ２には、板部本体６ａを延長することにより形成された、縦長の板状の張出枠６ｃが形成されている。
【００１９】
扉部材Ｄに、ロック機構を構成するロック部材５及び操作部材６を配設するには、ロック部材５の本体部５ａの上面に形成された溝５ｂに、扉部材Ｄの垂設枠ｄ９の水平部の下面に垂設されたガイドリブｄ１１を挿入するとともに、先端部にロック部５ｅが形成されたロッド５ｄを、扉部材Ｄの側端垂直フランジｄ７に穿設されたスリットｄ１３に挿入する。この際、ロック部材５の弾性条片５ｆが、扉部材Ｄに形成された弾性条片当接枠ｄ１２に当接するように配置されるとともに、ロック部材５の本体部５ａが、扉部材Ｄの上部水平リブｄ６に載置されるように構成されている。次いで、操作部材６の張出枠６ｃが、扉部材Ｄの板部ｄ４と垂設枠ｄ９の側部に形成された係止突起ｄ１０とにより形成される間隙に挿入されるように、操作部材６を、扉部材Ｄの上端水平フランジｄ５と上部水平リブｄ６との間に位置する領域に配設する。このように、扉部材Ｄに、ロック部材５と操作部材６とを配設した際には、上記のように、ロック部材５の弾性条片５ｆが、扉部材Ｄに形成された弾性条片当接枠ｄ１２に当接しているとともに、操作部材６の周辺リブ６ｂの下部角部に形成された傾斜リブ部６ｂ１が、ロック部材５に形成されたガイドブロック５ｇの傾斜したガイド板５ｇ１に当接するように構成されている。
【００２０】
ヒンジ部材Ｈにより、短側壁３の下部枠３ｃの上端部３ｃ１と、扉部材Ｄの下端部ｄ１とがヒンジ連結されている扉部材Ｄが、箱型に組み立てられた折り畳みコンテナーの短側壁３に形成された開口部３ａを閉じている状態においては、扉部材Ｄは、短側壁３と略面一になっているとともに、扉部材Ｄの張出枠ｄ８は、短側壁３の開口部３ａの側部に形成された細長の外側段部３ｂ１に嵌合され、外側段部３ｂ１に対向するように構成されているので、従って、扉部材Ｄが折り畳みコンテナーの内側に倒れるようなことがない。この扉部材Ｄによる短側壁３の開口部３ａの閉鎖状態においては、図７に示されているように、ロック部材５の弾性条片５ｆは、扉部材Ｄに形成された弾性条片当接枠ｄ１２に当接しているとともに、操作部材６の上面は、扉部材Ｄの上端水平フランジｄ５に当接或いは上端水平フランジｄ５付近に位置しており、且つ、操作部材６の周辺リブ６ｂの下部角部に形成された傾斜リブ部６ｂ１が、ロック部材５に形成されたガイドブロック５ｇの傾斜したガイド板５ｇ１の上部に当接している。更に、扉部材Ｄによる短側壁３の開口部３ａの閉鎖状態においては、ロック部材５のロッド５ｄの先端部に形成されたロック部５ｅは、短側壁３の縦枠部３ｂの外側段部３ｂ１に形成された係止部材４を構成する一対の係止爪４ａの水平部４ａ１間に位置しているとともに、水平部４ａ１の先端から、互いに接近する方向に延在している垂直部４ａ２の背後に位置している。従って、短側壁３と略面一状態の略垂直な扉部材Ｄが、ヒンジ部材Ｈを中心に、外側に回動しようとしても、ロック部材５のロッド５ｄの先端部に形成されたロック部５ｅが、短側壁３に形成された係止部材４を構成する一対の係止爪４ａの垂直部４ａ２に当接し、その回動が阻止され、扉部材Ｄが開くようなことがない。
【００２１】
上述した短側壁３に形成された係止部材４による、扉部材Ｄに形成されたロック部材５のロック部５ｅのロック状態を解除する場合には、図８に示されているように、作業者が、手で、操作部材６を下方（扉部材Ｄの上部水平リブｄ６方向）に移動させる。すると、操作部材６の周辺リブ６ｂの下部角部に形成された傾斜リブ部６ｂ１が、ロック部材５に形成されたガイドブロック５ｇの傾斜したガイド板５ｇ１の下方に移動し、ロック部材５を、ロック部材５の弾性条片５ｆの弾性力に抗して、短側壁３の縦枠部３ｂ方向に水平移動させることになる。ロック部材５の短側壁３の縦枠部３ｂへの移動により、ロック部材５のロッド５ｄの先端部に形成されたロック部５ｅが、短側壁３の縦枠部３ｂの外側段部３ｂ１に形成された係止部材４を構成する一対の係止爪４ａの垂直部４ａ２の背後から外れることになり、従って、短側壁３と略面一状態の略垂直な扉部材Ｄが、ヒンジ部材Ｈを中心に、外側に回動可能となり、扉部材Ｄを、短側壁３の下部枠３ｃと重なるように回動させて、短側壁３の開口部３ａを開けることができるように構成されている。
【００２２】
上述したように、扉部材Ｄに配設された操作部材６を下方（扉部材Ｄの上部水平リブｄ６方向）に移動させるだけのワンアクション動作により、扉部材Ｄに配設されたロック部材５を、ロック部材５の弾性条片５ｆの弾性力に抗して、短側壁３の縦枠部３ｂ方向に水平移動させて、短側壁３と扉部材Ｄとのロック状態を解除することができるので、従って、短側壁３と扉部材Ｄとのロック状態の解除作業の作業性が向上する。
【００２３】
上述したような短側壁３と扉部材Ｄとのロック状態の解除作業後、作業者が、操作部材６から手を離すと、ロック部材５の弾性条片５ｆの弾性力により、一対のロック部材５は、互いに接近する方向に水平移動することになり、従って、操作部材６は上方（扉部材Ｄの上端水平フランジｄ５）に移動し、操作部材６の上面が、扉部材Ｄの上端水平フランジｄ５に当接或いは上端水平フランジｄ５付近に位置することになる。
【００２４】
短側壁３の開口部３ａを、扉部材Ｄにより閉鎖する場合には、短側壁３の下部枠３ｃに重ねられている扉部材Ｄを、ヒンジ部材Ｈを中心に、上方に回動させることになるが、扉部材Ｄが短側壁３の開口部３ａに近づいた時点で、或いは、それ以前に、上述したように、操作部材６を、扉部材Ｄの上部水平リブｄ６方向に移動させて、ロック部材５を、ロック部材５の弾性条片５ｆの弾性力に抗して、短側壁３の縦枠部３ｂ方向に水平移動させ、ロック部材５のロッド５ｄの先端部に形成されたロック部５ｅを、短側壁３の縦枠部３ｂの外側段部３ｂ１に形成された係止部材４を構成する一対の係止爪４ａの垂直部４ａ２の背後から外し、その後、扉部材Ｄにより、短側壁３の開口部３ａを閉じるとともに、扉部材Ｄと短側壁３とが略面一になるようにし、その後、作業者が、操作部材６から手を離すと、上述したように、ロック部材５の弾性条片５ｆの弾性力により、一対のロック部材５は、互いに接近する方向に水平移動し、ロック部材５のロッド５ｄの先端部に形成されたロック部５ｅが、短側壁３の縦枠部３ｂの外側段部３ｂ１に形成された係止部材４を構成する垂直部４ａ２の背後に位置し、扉部材Ｄが、短側壁３にロックされることになる。
【００２５】
図４及び図５において、ｄ１４は、扉部材Ｄの側端垂直フランジｄ７の先端部に形成された張出枠ｄ８の内面（短側壁３の縦枠部３ｂに形成された外側段部３ｂ１と対向する面）に突設された嵌合突起であり、本実施例には、２個形成されている。また、３ｄは、短側壁３の縦枠部３ｂに形成された外側段部３ｂ１に穿設された嵌合孔３ｄであり、短側壁３の開口部３ａが、扉部材Ｄにより閉鎖され、扉部材Ｄの張出枠ｄ８が、短側壁３の開口部３ａの側部に形成された細長の外側段部３ｂ１に嵌合され、外側段部３ｂ１と対向した際には、嵌合孔３ｄに、扉部材Ｄの側端垂直フランジｄ７の先端部に形成された張出枠ｄ８の内面に突設された嵌合突起ｄ１４が嵌合するように構成されている。
【００２６】
上述したように、短側壁３の開口部３ａが、扉部材Ｄにより閉鎖された状態において、短側壁３の縦枠部３ｂに形成された外側段部３ｂ１に穿設された嵌合孔３ｄに、扉部材Ｄの側端垂直フランジｄ７の先端部に形成された張出枠ｄ８の内面に突設された嵌合突起ｄ１４が嵌合するように構成することにより、短側壁３に対する扉部材Ｄのガタつきを防止することができるとともに、扉部材Ｄに下方への負荷がかかっても、上記嵌合孔３ｄに嵌合された嵌合突起ｄ１４により、負荷を負担し、ヒンジ部材Ｈへの負荷を軽減することができ、従って、ヒンジ部材Ｈの損傷を防止することができる。
【００２７】
上述した実施例には、相対する両方の短側壁３に、開口部３ａを形成し、扉部材Ｄを配設した例が示されているが、一方の短側壁３にのみ、開口部３ａを形成し、扉部材Ｄを配設するように構成することもできる。また、短側壁３に扉部材Ｄを配設する代わりに、長側壁２に開口部を形成し、該開口部に、扉部材Ｄを配設することもできる。
【００２８】
上述したように構成された折り畳みコンテナーは、箱型に組み立てられ、種々の物品が収容された状態で、箱型に組み立てられた折り畳みコンテナーの高さと略同じ間隔で、上下方向に多段に配設された棚に載置されることになるが、棚には、箱型に組み立てられた折り畳みコンテナーを、扉部材Ｄが配設された短側壁３が、作業者が作業側（通路側）に位置するように並設して載置する。このように、箱型に組み立てられた折り畳みコンテナーを、扉部材Ｄが配設された短側壁３が、作業者が作業側（通路側）に位置するように並設して載置することにより、一段の棚に、より多くの折り畳みコンテナーを配置することができるので、従って、扉部材Ｄを、短側壁３側に配設することが好ましい。
【００２９】
なお、カード差しＣ１、Ｃ２の扉部材Ｄの内壁面ｄ２への取り付けは、接着剤を用いて取り付けることも、また、溶着により取り付けることも、更には、カード差しＣ１、Ｃ２及び扉部材Ｄの内壁面ｄ２のうち、一方に係止突起を突設し、もう一方に、係止突起が嵌着可能な凹部や孔を形成することにより取り付けることもできる。また、射出成形等により、カード差しＣ１、Ｃ２を、扉部材Ｄと一体成形することもできる。
【００３０】
【発明の効果】
本発明は、以上説明した構成を有しているので、以下に記載する効果を奏するものである。
【００３１】
少なくとも１つの側壁に、開口部を形成し、該開口部には扉部材を開閉自在に配設するとともに、扉部材の内壁面に、カード差しを配設したので、扉部材が下方に回動した扉部材により、底部等に配設されたカードが隠れても、折り畳みコンテナーに収容された物品を、折り畳みコンテナーから物品を取り出すことなく、容易に認識し識別することが可能となる。
【００３２】
扉部材には、上下方向に移動可能な１つの操作部材と、該操作部材の上下移動により、水平移動可能な一対のロック部材を配設したので、操作部材を下動させるだけのワンアクション動作により、扉部材と側壁とのロック部材によるロック状態を解除することができるので、従って、側壁と扉部材とのロック状態の解除作業の作業性が向上する。
【図面の簡単な説明】
【図１】図１は本発明の折り畳みコンテナーが箱型に組み立てられた状態の斜視図である。
【図２】図２は本発明の折り畳みコンテナーの組み立て或いは折り畳み途中の斜視図である。
【図３】図３は本発明の折り畳みコンテナーの折り畳まれた状態の斜視図である。
【図４】図４は本発明の折り畳みコンテナーの扉部材が開けられた状態の部分斜視図である。
【図５】図５は本発明の別の実施例の折り畳みコンテナーの扉部材が開けられた状態の部分斜視図である。
【図６】図６は本発明の折り畳みコンテナーの扉部材を含むロック部材及び操作部材の分解斜視図である。
【図７】図７は本発明の折り畳みコンテナーの短側壁側から見た正面図である。
【図８】図８は図７と同様に本発明の折り畳みコンテナーの短側壁側から見た正面図である。
【図９】図９は本発明の箱型に組み立てられた状態の折り畳みコンテナーの一方の扉部材が開けられた状態の斜視図である。
【符号の説明】
Ｃ１、Ｃ２・・・・・・・・カード差し
Ｄ・・・・・・・・・・・・扉部材
１・・・・・・・・・・・・底部
２・・・・・・・・・・・・長側壁
３・・・・・・・・・・・・短側壁
３ａ・・・・・・・・・・・開口部
５・・・・・・・・・・・・ロック部材
６・・・・・・・・・・・・操作部材
【図１】
2004131108.tif 000003
【図２】
2004131108.tif 000004
【図３】
2004131108.tif 000005
【図４】
2004131108.tif 000006
【図５】
2004131108.tif 000007
【図６】
2004131108.tif 000008
【図７】
2004131108.tif 000009
【図８】
2004131108.tif 000010
【図９】
2004131108.tif 000011